(57)【要約】【課題】  受信されたコンテンツを有効活用することができると共に、文字変換の有用性を高めることができる通信機器および通信機器における制御方法を提供することを目的とする。【解決手段】  本発明の携帯電話機１は、表示部５と、文字を入力する操作部７と、コンテンツを受信する通信部１２と、前記操作部７により特定の文字が入力されると、前記通信部１２によりコンテンツを受信し、その受信されたコンテンツに含まれる特定情報に基づいて前記特定の文字の変換候補を前記表示部５に表示する制御部１７と、を有することを特徴とする。【選択図】図５
2008211481.tif 000002
【特許請求の範囲】
【請求項１】
表示部と、
文字を入力する文字入力部と、
コンテンツを受信する受信部と、
前記文字入力部により特定の文字が入力されると、前記受信部によりコンテンツを受信し、その受信されたコンテンツに含まれる特定情報に基づいて前記特定の文字の変換候補を前記表示部に表示する制御部と、を有することを特徴とする通信機器。
【請求項２】
前記文字入力部により入力された文字の変換要求を入力する変換要求入力部をさらに有し、
前記制御部は、前記変換要求入力部により、前記文字入力部により入力された特定の文字の変換要求が行われると、前記受信部によりコンテンツを受信し、その受信されたコンテンツに含まれる特定情報に基づいて前記特定の文字の変換候補を前記表示部に表示する制御部と、を有することを特徴とする請求項１に記載の通信機器。
【請求項３】
前記制御部は、前記コンテンツのうち、前記特定の文字の変換候補の基礎となる特定情報のみを前記受信部により受信し、その受信された特定情報に基づいて前記特定の文字の変換候補を前記表示部に表示する、こと特徴とする請求項１又は請求項２に記載の通信機器。
【請求項４】
前記受信部により受信されたコンテンツに特定の文字の変換候補の基礎となる特定情報が複数あり、
前記複数の特定情報が、それぞれ時間情報を有し、
前記制御部は、前記文字入力部により前記特定の文字が入力された時点に近い時間情報を有する前記特定情報に基づく前記特定の文字の変換候補を優先的に前記表示部に表示する、ことを特徴とする請求項１乃至請求項３のいずれか一項に記載の通信機器。
【請求項５】
特定の文字の変換候補を予め記憶する記憶部をさらに有し、
前記制御部は、前記受信部によりに受信された前記コンテンツに含まれる特定情報に基づく前記特定の文字の変換候補と前記記憶部に予め記憶された前記特定の文字の変換候補とを前記表示部に同時に表示する、ことを特徴とする請求項１乃至請求項４のいずれか一項に記載の通信機器。
【請求項６】
表示ステップと、
文字を入力する文字入力ステップと、
コンテンツを受信する受信ステップと、
前記文字入力ステップにより特定の文字が入力されると、前記受信ステップによりコンテンツを受信し、その受信されたコンテンツに含まれる特定情報に基づいて前記特定の文字の変換候補を表示する制御ステップと、を有することを特徴とする通信機器における制御方法。
【請求項７】
前記文字入力ステップにより入力された文字の変換要求を入力する変換要求入力ステップをさらに有し、
前記制御ステップは、前記変換要求ステップにより、前記文字入力ステップにより入力された文字の変換要求が行われると、前記受信ステップによりコンテンツを受信し、その受信されたコンテンツに含まれる特定情報に基づいて前記特定の文字の変換候補を表示する、ことを特徴とする請求項６に記載の通信機器における制御方法。
【発明の詳細な説明】
【技術分野】
【０００１】
本発明は、携帯電話機や携帯情報端末（ＰＤＡ）等の通信機器および通信機器における制御方法に関し、より詳細には、入力された文字の変換候補を表示部に表示する通信機器および通信機器における制御方法に関する。
【背景技術】
【０００２】
従来、インターネット内での通信網を介して文書、音声、映像、ソフトなどの情報としてのコンテンツが配信される情報配信サービスが知られている。また、これらの配信されるコンテンツを受信し、その受信したコンテンツを表示部に表示可能に構成される携帯電話機や携帯情報端末（ＰＤＡ）等の通信機器が知られている。通信機器の使用者は、このように受信されたコンテンツを通信機器の表示部に表示させる等して、そのコンテンツに含まれる種々の情報を楽しむことができる。
【０００３】
（特許文献１参照）。
【特許文献１】特表２００４−５１０３５９号公報
【発明の開示】
【発明が解決しようとする課題】
【０００４】
しかし、特許文献１に記載の通信機器は、受信したコンテンツを、表示部に表示する等してそのコンテンツに含まれる種々の情報を通信機器の使用者に対して知らしめるという用途にしか利用しておらず、その他の用途には利用していない。したがって、従来の通信機器では、受信されたコンテンツが十分に有効活用されていないという課題があった。
【０００５】
そこで、本発明は、受信されたコンテンツを有効活用することのできる通信機器および通信機器における制御方法を提供することを目的とする。
【課題を解決するための手段】
【０００６】
本発明の通信機器は、表示部と、文字を入力する文字入力部と、コンテンツを受信する受信部と、前記文字入力部により特定の文字が入力されると、前記受信部によりコンテンツを受信し、その受信されたコンテンツに含まれる特定情報に基づいて前記特定の文字の変換候補を前記表示部に表示する制御部と、を有することを特徴とする。
【０００７】
好適には、前記文字入力部により入力された文字の変換要求を入力する変換要求入力部をさらに有し、前記制御部は、前記変換要求入力部により、前記文字入力部により入力された特定の文字の変換要求が行われると、前記受信部によりコンテンツを受信し、その受信されたコンテンツに含まれる特定情報に基づいて前記特定の文字の変換候補を前記表示部に表示する制御部と、を有することを特徴とする。
【０００８】
好適には、前記制御部は、前記コンテンツのうち、前記特定の文字の変換候補の基礎となる特定情報のみを前記受信部により受信し、その受信された特定情報に基づいて前記特定の文字の変換候補を前記表示部に表示する、こと特徴とする。
【０００９】
好適には、前記受信部により受信されたコンテンツに特定の文字の変換候補の基礎となる特定情報が複数あり、前記複数の特定情報が、それぞれ時間情報を有し、前記制御部は、前記文字入力部により前記特定の文字が入力された時点に近い時間情報を有する前記特定情報に基づく前記特定の文字の変換候補を優先的に前記表示部に表示する、ことを特徴とする。
【００１０】
好適には、特定の文字の変換候補を予め記憶する記憶部をさらに有し、前記制御部は、前記受信部によりに受信された前記コンテンツに含まれる特定情報に基づく前記特定の文字の変換候補と前記記憶部に予め記憶された前記特定の文字の変換候補とを前記表示部に同時に表示する、ことを特徴とする。
【００１１】
本発明の通信機器における制御方法は、表示ステップと、文字を入力する文字入力ステップと、コンテンツを受信する受信ステップと、前記文字入力ステップにより特定の文字が入力されると、前記受信ステップによりコンテンツを受信し、その受信されたコンテンツに含まれる特定情報に基づいて前記特定の文字の変換候補を表示する制御ステップと、を有することを特徴とする。
【００１２】
好適には、前記文字入力ステップにより入力された文字の変換要求を入力する変換要求入力ステップをさらに有し、前記制御ステップは、前記変換要求ステップにより、前記文字入力ステップにより入力された文字の変換要求が行われると、前記受信ステップによりコンテンツを受信し、その受信されたコンテンツに含まれる特定情報に基づいて前記特定の文字の変換候補を表示する、ことを特徴とする。
【発明の効果】
【００１３】
本発明に係る通信機器および通信機器における制御方法は、文字入力部により特定の文字が入力されるとコンテンツを受信し、その受信部により受信されたコンテンツに含まれる特定情報に基づいて、文字入力部により入力された特定の文字の変換候補を表示部に表示することができるため、受信されたコンテンツを有効活用することができるとともに、文字変換の有用性を高めることができる。
【発明を実施するための最良の形態】
【００１４】
以下、本発明を実施するための形態について図1乃至図５を参照しながら説明する。図１は本実施形態に係る通信機器の一例である携帯電話機１の外観斜視図を示し、図２は携帯電話機１の各部の詳細構成を示すブロック図を示し、図３は、配信されたコンテンツの一例を示し、図４は入力された文字を別の文字に変換する際に利用される後述する変換候補データベースを示し、図５は、入力された文字の変換候補を表示する際の具体的な処理の流れを表すフローチャートを示したものである。
【００１５】
まず、本実施形態に係る携帯電話機１の構成について説明する。図１に示すように、本実施形態に係る携帯電話機１は、矩形板状の第１筐体２と、同じく矩形板状の第２筐体３とを備え、両筐体２、３はヒンジ部４を介して開閉自在に連結されて構成されている。第１筐体２には、表示部５と受話用スピーカ６とが配設され、第２筐体３には、操作部７と送話用マイク８とがそれぞれ配設されている。
【００１６】
また、図２に示すように、携帯電話機１は、表示部５（報知部）と、受話用スピーカ６と、操作部７（文字入力部、変換要求入力部）と、送話用マイク８と、報知用スピーカ９と、記憶部１０と、アンテナ１１と、通信部１２（受信部）と、近距離通信用アンテナ１３と、近距離通信部１４と、バッテリ１５と、制御部１７と、を有して構成される。
【００１７】
表示部５は、現在の時刻や入力情報などの各種情報の他、電子メールの受信情報や内容等を表示する、例えば液晶パネルや有機ＥＬで構成される表示デバイスである。受話用スピーカ６は、通話における通信相手の音声に係る音声信号に応じた音を報知するスピーカである。操作部７は、テンキー等の複数のボタンで構成される文字を入力するための文字入力手段である。送話用マイク８は、通話の際に携帯電話機１の使用者の音声等を入力するマイクである。報知用スピーカ９は、例えば記憶部１０に記憶された着信音、着信メロディ又は音声メッセージ等の音声情報に係る音声信号に応じた音を報知するスピーカである。
【００１８】
記憶部１０は、携帯電話機１の各動作に関する様々な情報やデータ、例えば使用者のプロフィール（氏名、住所、性別および年齢等）を示す個人情報、通信相手の名前、通信相手の電話番号、通信相手のメールアドレス等の情報を含むアドレス帳情報、着信音、着信メロディ又は音声メッセージ等の音声情報、各種アイコン等の画像データを記憶する記憶媒体である。
【００１９】
アンテナ１１は、所定の周波数帯域における電磁波を基地局に向けて送信する又は基地局から送信された電磁波を受信するアンテナである。通信部１２は、アンテナ１１を介して行われる通話、文字メッセージなどの各種情報の送信又は受信を行うための通信処理部であり、より具体的には、アンテナ１１を介して送信又は受信される電磁波の変調又は復調を行う通信処理部である。
【００２０】
近距離通信用アンテナ１３は、赤外線等の周波数帯域における電磁波を近距離範囲内で、すなわち基地局を介さないで送信又は受信するアンテナである。近距離通信部１４は、近距離通信用アンテナ１３を介して行われるアドレス情報等の種々の情報の送信又は受信等を行うための通信処理部であり、より具体的には、近距離通信用アンテナ１３を介して送信又は受信される電磁波の変調又は復調を行う通信処理部である。
【００２１】
バッテリ１５は、例えばリチウムイオン電池等の充電電池であり、外部電源１６から電力が給電されることで充電可能に構成されると共に、充電された電力を制御部１７などの電子部品に給電可能に構成される。
【００２２】
制御部１７は、携帯電話機１の各種制御、例えば、表示部５への各種情報の表示制御、受話用スピーカ６を介した音声等の報知制御、操作部７への各種入力操作に応じた操作制御、送話用マイク８で入力された音声等の入力制御、報知用スピーカ９を介した音声等の報知制御、通信部１２を介した通信制御、近距離通信部１４を介した近距離通信制御等の各種制御を統制する中央処理部である。
【００２３】
このように本実施形態に係る携帯電話機１は、制御部１７の制御のもと、通信部１２を介して他の通信装置と通信等の各種制御を行うことができる。そして、携帯電話機１はさらに、制御部１７の制御のもと、所定の情報提供者からインターネット網や基地局を介して定期的に配信されるコンテンツを、通信部１２を介して受信可能に構成されている。また、携帯電話機１は、その受信されたコンテンツを、記憶部１０に記憶可能に構成され、さらには、その記憶部１０に記憶されたコンテンツに係る情報を表示部５に表示することができるように構成されている。
【００２４】
ここでコンテンツとは、所定の情報提供者（例えばニュース配信業者等）により定期的に電気通信回線（有線回線と無線回線とを問わない）を通じて特定の需要者（例えば、特定の契約を結んだ相手方や特定の地域に住所又は居所がある需要者等）に対して配信される文書、音声、映像、ゲーム等の種々の情報を有する配信情報である。コンテンツの配信を受ける特定の需要者は、コンテンツを受信可能に構成された通信機器を介してそのコンテンツを受信し、その受信されたコンテンツを通信機器の表示部に表示させる等して、そのコンテンツに含まれる種々の情報を楽しむことができる。
【００２５】
図３（Ａ）は、このように所定の情報提供者から携帯電話機１の使用者に対して配信されたコンテンツ（文書によるもの）が携帯電話機１の表示部５に表示された一例を示す図である。図３（Ａ）に示すように、文書により構成されたコンテンツは、「時事ニュース」、「天気予報情報」、「スポーツニュース」、「芸能ニュース」「占い情報」等に分類されたカテゴリーを有して構成されている。そして、このように分類されたカテゴリーは、さらにそれぞれが、そのカテゴリーに関連する詳細な情報を有して構成される。なおコンテンツが有するカテゴリーについては、図３（Ａ）に示すカテゴリーの種類に限定されず、その他の種類のカテゴリーがさらに含まれている構成であってもよいし、これらのカテゴリーの一部のみ含まれる構成であってもよい。携帯電話機１の使用者は、図３（Ａ）に示すような、コンテンツの各カテゴリーが表示部５に表示された状態で、同じく表示部５に表示されるカーソルポインタ等を操作部７の操作により動かして、詳細な情報を楽しみたいと考える所望のカテゴリーを特定すると共に、さらなる操作部７の操作によってその特定されたカテゴリーを選択し、その選択されたカテゴリーに関連する詳細な情報を表示部５に表示させることができる。
【００２６】
図３（ｂ）および図３（ｃ）はこのように特定および選択されたカテゴリーに関連する詳細な情報が表示部５に表示された一例を示す図であり、図３（ｂ）は、「天気予報情報」に関する詳細な情報が、そして、図３（ｃ）は、「占い情報」に関する詳細な情報がそれぞれ表示部５に表示された様子を示している。このようにして、携帯電話機１の使用者は、配信されたコンテンツに含まれる各カテゴリーに関連する詳細な情報を表示部５に表示させることができ、もってコンテンツに含まれる種々の情報を楽しむことができる。
【００２７】
また、本実施形態に係る携帯電話機１は、制御部１７の制御のもと、操作部７の操作により入力された文字を、さらなる操作部７の操作による文字変換の要求により、漢字、カタカナ、図形又は記号等に変換可能に構成される。また、携帯電話機１は、この変換の際に、その入力された文字の変換候補を表示部５に表示可能に構成されている。そして、この文字の変換候補の表示は、制御部１７が、記憶部１０に予め記憶された変換候補データベースに基づいて、若しくは通信部１２を介して受信されるコンテンツに含まれる後述する特定の情報（特定情報）に基づいて、又はこれら両方に基づいて行なうことにより実現される。これらの具体的態様について以下説明する。
【００２８】
ではまず携帯電話機１が、どのようにして記憶部１０に予め記憶された変換候補データベースに基づいて操作部７の操作により入力された文字の変換候補を表示部５に表示するかについて説明する。ここではその説明に先立って、変換候補データベースについて図４を用いて説明する。変換候補データベースは、対象文字情報Ａ、変換候補情報Ｂおよび対象コンテンツ情報Ｃの各データ項目を有して構成されている。対象文字情報Ａは、操作部７の操作により入力された文字のうち変換の対象となる文字に係る情報を含んで構成される。変換候補情報Ｂは、漢字、カタカナ、図形又は記号等により構成される文字の変換候補に係る情報を含んで構成される。そして、対象コンテンツ情報Ｃは、特定の情報に係る情報を含んで構成される。
【００２９】
そしてこれら対象文字情報Ａ、変換候補情報Ｂおよび対象コンテンツ情報Ｃは、このテーブルの行ごとに付された通し番号によってそれぞれ関連づけられており、この関連付けにより、対象文字情報Ａに含まれる文字と変換候補情報Ｂに含まれる変換候補と対象コンテンツ情報Ｃに含まれる特定の情報に係る情報とは、互いに関連付けられることとなる。例えば、図４に示す変換候補データベースの場合、通し番号「Ｎｏ．１」の対象文字情報Ａに含まれる「きょう」という文字と、変換候補情報Ｂに含まれる「今日、京、…」という変換候補と、対象コンテンツ情報Ｃに含まれる「天気予報情報（今日の天気）」、「占い情報（１位）」という特定の情報に係る情報とは、互いに関連付けられることとなる。
【００３０】
そして携帯電話機１の使用者は、制御部１７の制御のもと、この変換候補データベースに基づいて、操作部７の操作により入力された文字の文字変換の要求を行うことができる。例えば、携帯電話機１の使用者が、操作部７を操作して、ある文字を入力し、その入力されたある文字を変換しようとさらに操作部７を操作して文字変換の要求を行ったとする。そうすると、携帯電話機1の制御部１７は、そのある文字と同一の文字を変換候補データベースの対象文字情報Ａから検索する。そしてもし、そのある文字と同一の文字が対象文字情報Ａから検索された場合には、その検索されたある文字と同一の文字が含まれる対象文字情報Ａと通し番号で関連づけられた変換候補情報Ｂに含まれる変換候補を、そのある文字の変換候補として、その変換候補を表示部５に表示する。
【００３１】
例えば、変更候補データベースが図４に示すものであり、携帯電話機１の使用者の操作部７への操作により入力された文字が「きょう」という文字であったとする。そうすると携帯電話機１の使用者のさらなる操作部７への操作により、その入力された文字「きょう」の変換が要求されると、その入力された「きょう」という文字と同一の文字は、変換候補データベースの通し番号「Ｎｏ．１」の対象文字情報Ａに含まれるため、その通し番号「Ｎｏ．１」で関連づけられた「今日、京、…」という変換候補が、表示部５に表示されることとなる。
【００３２】
では次に、携帯電話機１が、どのようにして通信部１２を介して受信されるコンテンツに含まれる特定の情報に基づいて入力された文字の変換候補を表示部５に表示するかについて説明する。ここで特定の情報とは、通信部１２を介して受信されたコンテンツに含まれる情報のうち、対象文字情報Ａに含まれる特定の文字の変換候補の基礎となる情報として予め設定された情報のことをいう。例えば、通し番号「Ｎｏ．１」に関連付けられた対象コンテンツ情報Ｃには「天気予報情報（今日の天気）」、「占い情報（１位）」が含まれているため、この「天気予報情報（今日の天気）」、「占い情報（１位）」という情報が、通信部１２を介して受信されたコンテンツに含まれる情報のうち、通し番号「Ｎｏ．１」に関連付けられた対象文字情報Ａに含まれる「きょう」という文字の変換候補の基礎となる情報として予め設定された特定の情報ということになる。
【００３３】
携帯電話機１の制御部１７は、このようにコンテンツに含まれる特定の情報に基づいて、携帯電話機１の使用者による操作部７の操作により入力および文字変換の要求がされた文字の変換候補を得ることができる。例えば、操作部７の操作により入力および文字変換の要求がされた文字が「きょう」という文字であり、通信部１２を介して受信されたコンテンツが、図３に示すコンテンツであったとする。そうすると、その「きょう」という文字は、先に示したように「天気予報（今日の天気）」、「占い情報（１位）」という情報が特定の情報として関連付けられているため、制御部１７は、その受信されたコンテンツの中に「天気予報（今日の天気）」、「占い情報（１位）」という情報が含まれているか否かを判定する。図３に示すコンテンツには、「天気予報情報」のカテゴリーの中に、東京都の「今日の天気」という情報および大阪府の「今日の天気」という情報（図３（ｂ））、並びに「占い情報」という情報（図３（ｃ））が含まれているため、制御部１７は、このコンテンツの中に、特定の情報が含まれていると判定する。そして制御部１７は、そのコンテンツの中に含まれる特定の情報から、すなわち、東京都の「今日の天気」という情報から、大阪府の「今日の天気」という情報から、そして「占い情報」という情報から変換候補をそれぞれ得て、それら得られた変換候補を、「きょう」という文字の変換候補として表示部５に表示する。この場合、東京都の「今日の天気」という情報から「晴れ」、大阪府の「今日の天気」という情報から「雨」、そして「占い情報」という情報から１位に該当する「うお座」という変換候補が「きょう」という文字の変換候補として表示部５に表示される。
【００３４】
したがって、携帯電話機１の使用者は、通信部１２を介して受信されたコンテンツの内容を楽しむのみならず、そのコンテンツに含まれる特定の情報を特定の文字の変換候補の基礎としても活用することができるため、コンテンツの有効活用を図ることができると共に、文字変換の有用性を高めることができる。
【００３５】
では以下に、携帯電話機１が、具体的にどのように操作部７の操作により入力された文字を漢字、カタカナ、図形又は記号等に変換したり、その入力された文字の変換候補を表示部５に表示したりすることができるかを説明する。
【００３６】
携帯電話機１の制御部１７は、電子メール機能やメモ帳機能において、携帯電話機１の使用者が、操作部７の操作を介して文字を入力したか否かを判定する（ＳＴ１）。そしてその結果、文字が入力されていないと判定された場合には、制御部１７は、再びステップＳＴ１に戻り、携帯電話機１の使用者の操作部７の操作により文字が入力されるまで同判定を以後定期的に繰り返す。反対に、ステップＳＴ１で文字が入力されたと判定された場合には、次に制御部１７は、この入力された文字の変換要求が携帯電話機１の使用者の操作部７の操作により行なわれたか否かを判定する（ＳＴ２）。
【００３７】
そしてその結果、制御部１７が、携帯電話機１の使用者の操作部７の操作により入力された文字の変換要求がなかったと判定した場合には、制御部１７は、再びステップＳＴ１に戻り、携帯電話機１の使用者の操作部７の操作により文字が入力されるまで同判定を以後定期的に繰り返す。反対に、制御部１７が、ステップＳＴ２で携帯電話機１の使用者の操作部７の操作により入力された文字の変換要求があったと判定した場合には、次に制御部１７は、その変換要求があった文字が変換の対象となっている文字か否かを判定する。具体的には、制御部１７は、その変換要求があった文字と同一の文字が、変更候補データベースの対象文字情報Ａに含まれているか否かを判定する（ステップＳＴ３）。
【００３８】
そしてその結果、制御部１７が、その変換要求があった文字と同一の文字が、変更候補データベースの対象文字情報Ａに含まれていない場合には、その変換要求があった文字は、変換の対象となっている文字ではないと判断し、制御部１７は、ステップＳＴ１に戻り、携帯電話機１の使用者の操作部７の操作により文字が入力されるまで同判定を以後定期的に繰り返す。反対に、制御部１７が、その変換要求があった文字と同一の文字が、変更候補データベースの対象文字情報Ａに含まれている場合には、その変換要求があった文字は変換の対象となっている文字であると判断し、次に制御部１７は、その変換要求があった文字と同一の文字が含まれている変更候補データベースの対象文字情報Ａと通し番号で関連付けられた変換候補情報Ｂに含まれる情報、すなわち、その変換要求があった文字の変換候補を検索し（ＳＴ４）、そしてその後、制御部１７は、その変換要求があった文字と同一の文字が含まれる対象文字情報Ａと通し番号で関連付けられた対象コンテンツ情報Ｃに、特定の情報が含まれているか否かを判定する（ＳＴ５）。すなわち、制御部１７は、その変換要求があった文字が、通信部１２を介して受信されるコンテンツに含まれる特定の情報に基づいて得られる変換候補と関連付けられた文字か否かを判定する。
【００３９】
そしてその結果、制御部１７が、その対象コンテンツ情報Ｃに、特定の情報が含まれていないと判定した場合には、制御部１７は、その変換要求があった文字が、通信部１２を介して受信されるコンテンツに含まれる特定の情報に基づいて得られる変換候補とは関連付けられていない文字であると判断し、その後ステップＳＴ１０に進み、変換候補データベースにのみ基づいて、具体的には、ステップＳＴ４において検索された変換候補情報Ｂに含まれる変換候補にのみ基づいて、その変換要求があった文字の変換候補を表示部５に表示する（ＳＴ１０）。
【００４０】
反対に、ステップＳＴ５の結果、制御部１７が、その対象コンテンツ情報Ｃに、特定の情報が含まれていると判定した場合には、制御部１７は、その変換要求があった文字が、通信部１２を介して受信されるコンテンツに含まれる特定の情報に基づいて得られる変換候補とは関連付けられている文字であると判断し、その対象コンテンツ情報Ｃに含まれる情報、すなわち、その変換要求があった文字に関連付けられた特定の情報を検索（ＳＴ６）、その内容を認識した後、制御部１７は、通信部１２を介して所定の情報提供者に対して最新のコンテンツの配信を要求する。そしてその要求を受けた情報提供者がコンテンツを配信し、携帯電話機１は、通信部１２を介してそのコンテンツを受信する（ＳＴ７）。
【００４１】
そして次に制御部１７は、その受信されたコンテンツの中に、ステップＳＴ６の検索の結果認識された特定の情報が含まれているか否かを判定する（ＳＴ８）。そしてその結果、そのコンテンツの中に、その特定の情報が含まれていると判定された場合には、ステップＳＴ９に進み、その特定の情報に基づいて得られる変換候補を、変換候補データベースに基づいて得られた変換候補、すなわち、ステップＳＴ４において検索された変換候補情報Ｂから検索された変換候補と共に、表示部５に表示し（ＳＴ９）、その後制御部１７は、携帯電話機１を待ち受け状態に戻し、変換候補の表示部５への表示処理は終了される。
【００４２】
反対に、制御部１７が、ステップＳＴ８の結果、そのコンテンツの中に、その特定の情報が含まれていないと判定された場合には、ステップＳＴ１０に進み、変換候補データベースにのみ基づいて得られた変換候補、すなわち、ステップＳＴ４において検索された変換候補情報Ｂから検索された変換候補にのみ基づいて、その変換要求があった文字の変換候補を表示部５に表示し、その後制御部１７は、携帯電話機１を待ち受け状態に戻し、変換候補の表示部５への表示処理は終了される。
【００４３】
これにより、使用者が操作部７を操作して文字を入力し、さらにその入力された文字を別の漢字、カタカナ、図形又は記号等に変換しようと操作部７をさらに操作してその入力された文字の文字変換を要求すると、携帯電話機１は、変換候補データベースおよび通信部１２を介して受信されるコンテンツに含まれる特定の情報に基づいて、その入力された文字の変換候補を表示部５に表示することができる。
【００４４】
一例を示すと、例えば、携帯電話機１の使用者が、電子メール機能における電子メールを作成したり、メモ帳機能におけるメモを作成したりして、「きょう」という文字を操作部７の操作により入力したとする（ＳＴ１）。そしてさらに、その入力された「きょう」という文字を別の漢字、カタカナ、図形又は記号等に変換しようと文字変換の要求を操作部７のさらなる操作により行ったとする（ＳＴ２）。すると制御部１７は、それら操作を検出すると共に、「きょう」という文字と一致する文字が、変換候補データベースの対象文字情報Ａの中に含まれているか否かを判定する（ＳＴ３）。ここで、変換候補データベースが図４に示すような変換候補データベースである場合には、通し番号「Ｎｏ．１」に関連付けられた対象文字情報Ａに「きょう」という文字が含まれているため、制御部１７は、「きょう」という文字と一致する文字が、変換候補データベースの対象文字情報Ａの中に含まれていると判定する。
【００４５】
そして制御部１７は次に、その対象文字情報Ａの「きょう」という文字と同じく通し番号「Ｎｏ．１」で関連付けられた変換候補を変換候補情報Ｂから検索する（ＳＴ４）。この場合、変換候補情報Ｂから「今日、京、…」という変換候補が検索されるため、制御部１７は、その内容を認識する。制御部１７は、その後、通し番号「Ｎｏ．１」に関連付けられた対象コンテンツ情報Ｃに特定の情報が含まれているか否かを判定する（ＳＴ５）。この場合、「Ｎｏ．１」で関連付けられた対象コンテンツ情報Ｃには「天気予報情報（今日の天気）」および「占い情報（１位）」が含まれているため、制御部１７は、それらの内容を対象コンテンツ情報Ｃから検索し（ＳＴ６）、それらの内容を認識する。
【００４６】
そして、その後制御部１７は、通信部１２を介して所定の情報提供者に対して最新のコンテンツの配信を要求すると共に、その要求に応じて情報提供者から配信されるコンテンツを、通信部１２を介して受信する（ＳＴ７）。そしてそのコンテンツの中にステップＳＴ６で検索されて認識された特定の情報、すなわち「天気予報情報（今日の天気）」および「占い情報（１位）」が含まれているか否かを判定する（ＳＴ８）。ここでコンテンツが例えば図３に示すコンテンツであった場合には、「天気予報情報」のカテゴリー中には東京都の「今日の天気」および大阪府の「今日の天気」という「天気予報情報（今日の天気）」に係る情報が含まれ、さらに、「占い情報」のカテゴリー中には「１位」の星座「うお座」という「占い情報（１位）」に係る情報が含まれているため、制御部１７は、そのコンテンツから、「天気予報情報」のカテゴリー中に東京都の「今日の天気」である「晴れ」という情報および大阪府の「今日の天気」である「雨」という情報（図３（ｂ））、並びに「占い情報」のカテゴリー中、「１位」の星座「うお座」という情報（図３（ｃ））を、「きょう」という特定の文字の変換候補として表示部５に表示すると共に、ステップＳＴ４で検索されて認識された変換候補情報Ｂに含まれる「今日、京、…」という変換候補も併せて表示部５に表示する。
【００４７】
このようにして、本実施形態に係る携帯電話機１は、操作部７の操作により入力された文字の変換候補を変換候補データベースと通信部１２を介して受信されたコンテンツに基づいて表示することができる。
【００４８】
これにより、本実施形態における携帯電話機１の使用者は、操作部７の操作により入力した文字を、通信部１２を介して受信されたコンテンツに含まれる特定の情報に基づいて得られた変換候補と予め設定されていた変換候補との両方に基づいて入力した文字を変換することができる。
【００４９】
すなわち、携帯電話機１の使用者は、そのコンテンツに含まれる特定の情報を特定の文字の変換候補の基礎としても利用することができるため、コンテンツの有効活用を図ることができると共に、コンテンツという所定の情報提供者によりリアルタイムで更新される速報性の高い有用な情報に基づいて操作部７の操作により入力された文字の変換できるため、文字変換の有用性を高めることができる。
【００５０】
また、携帯電話機１は、制御部１７が携帯電話機１の使用者による操作部７の操作を介して入力された文字の文字変換の要求を受けた時点で、最新のコンテンツを受信し、その最新のコンテンツに含まれる特定の情報に基づいて入力された文字の変換候補を表示部５に表示する構成となっているため、さらに速報性の高い有用な情報に基づいて操作部７の操作により入力された文字の変換ができる。また、携帯電話機１は、文字変換の度ごとに最新のコンテンツを受信する構成であるため、受信されたコンテンツに含まれる特定の情報に基づく変換候補を記憶部１０に必ずしも記憶しておく必要がないため、記憶部１０の記憶領域を好適に削減することができる。
【００５１】
なお、本発明は本実施形態に限定されるものではない。つまり、特許請求の範囲の記載範囲内で適宜変更し得るものである。例えば、携帯電話機１は、変換候補データベースに基づいて得られた変換候補と、通信部１２を介して受信されるコンテンツに含まれる特定の情報に基づいて得られた変換候補とを表示部５に表示することができるように構成されていたが、本発明はこれに限らず、通信部１２を介して受信されるコンテンツに含まれる特定の情報にのみ基づいて得られた変換候補のみを表示部５に表示するようにしてもよい。
【００５２】
なお、本実施形態では、コンテンツは、制御部１７の制御のもと、通信部１２による受信を介して受信されるものとしたが、本発明はこれに限定されることなく、近距離通信部１４による受信を介して受信可能なものであっても、有線による電気通信回線による受信を介して受信可能なものであってもよい。
【００５３】
また、本実施形態においては、入力された文字の文字変換の入力があった場合に、コンテンツを受信する構成となっていたが、本発明はこれに限定されず、制御部１７が対象文字情報Ａに含まれる文字が入力されたか否かを監視し、その監視に基づいて、その対象文字情報Ａに含まれる文字が入力されたと判定された場合に、コンテンツを受信する構成であってもよい。これによりその入力された文字の文字変換が要求されてからコンテンツを受信しに行く必要がなく、文字変換を迅速に行なうことができる。
【００５４】
また、本実施形態においては、携帯電話機１は、通信部１２が、文字変換の基礎となる特定の情報を含むコンテンツ全体を受信した上で、その特定の情報に基づいて得られた入力文字の変換候補を表示部５に表示する構成であったが、本発明に係る携帯電話機１はこれに限定されず、制御部１７が、入力された文字の変換候補の基礎となる特定の情報を予め認識した上で、その特定の情報の配信を所定の情報提供者に要求し、その要求に応じて所定の情報提供者が配信する特定の情報を通信部１２が受信すると共に、その受信された特定の情報に基づいて入力された文字の変換候補を表示部５に表示する構成であってもよい。これにより、入力された文字の変換候補の基礎となる情報のみ、通信部１２により受信される構成となるため、不必要な情報が受信されるのを好適に抑制することができると共に、通信速度の向上が図られることとなる。
【００５５】
また、このように変換候補データベースの変換候補情報Ｂに追加される変換候補に関連付けて、その変換候補の内容を表示するものとして別の漢字、カタカナ、図形又は記号等が記憶部１０に予め設定されて記憶されていた場合には、その別の漢字、カタカナ、図形又は記号も、その追加される変換候補と共に変換候補データベースの変換候補情報Ｂに追加されるようにしてもよい。例えば、携帯電話機１においては、「晴れ」という変換候補には、「晴れ」という変換候補の内容を表示するものとして図４の符号（１）に示すような図形が、記憶部１０に予め設定されて記憶されており、また、「１位」という変換候補についても、その「1位」という変換候補の内容を表示するものとして図４の符号（２）に示すような図形が、図４の符号（１）に示すような図形と同様に、記憶部１０に予め設定されて記憶されている。このように「晴れ」および「１位」という変換候補の内容を表示するものとして、図４の符号（１）および（２）に示す記号が記憶部１０に予め設定されて記憶されているような場合は、「晴れ」および「１位」という変換候補が表示部５に表示される場合には、これら図４の符号（１）および符号（２）も、「晴れ」および「１位」という変換候補と共に表示部５に表示されるようにしてもよい。
【００５６】
また、本実施形態においては、「きょう」の変換候補として「晴れ」という変換候補と「雨」という変換候補の両方が、変換候補データベースの変換候補情報Ｂに追加される構成となっていたが、この場合、「晴れ」という変換候補と「雨」という変換候補は、いずれも天気予報情報に係る情報を示すものであり、かつ、両情報は、「晴れ」という観念と、「雨」という観念の、互いに相反する観念を生じさせるものである。したがって、「晴れ」および「雨」という変換候補のうち、いずれの変換候補が携帯電話機１の使用者にとって変換候補として適合するのかをより容易に携帯電話機１の使用者に理解ならしめるために、これらの変換候補が表示部５に表示される際には、制御部１７がこれらの変換候補にその天気予報情報に対応する地域情報を付してから、その地域情報が付された天気予報情報に係る変換候補が、変換候補データベースの変換候補情報Ｂに追加されるようにしてもよい。
【００５７】
例えば、「晴れ」という変換候補が変換候補データベースの変換候補情報Ｂに追加される際には、その「晴れ」という変換候補が東京都に対応する天気予報情報に係るものであるということをより容易に携帯電話機１の使用者に理解ならしめるため、制御部１７が、「晴れ」という変換候補に、例えば「晴れ（東京都）」というような、その天気予報情報に対応する地域情報が携帯電話機１の使用者に理解可能な程度に表現された表示を付してから、その「晴れ（東京都）」という変換候補が、表示部５に表示されるようにしてもよい。
【００５８】
またこの場合、記憶部１０が記憶している携帯電話機１の使用者の個人情報に住所に係る情報が含まれている場合には、その住所に近い地域情報に係る天気予報情報の係る変換候補（当該地域情報が付されていると否とを問わない。）が優先的に、表示部５に表示されたりするようにしてもよい。例えば、記憶部１０が記憶している携帯電話機１の使用者の個人情報に含まれる住所に係る情報が「東京都」であった場合には、制御部１７は、東京都の天気予報情報に係る「晴れ」という変換候補が、大阪府の天気予報情報に係る「雨」という変換候補に比べて優先的に表示部５に表示されたりするようにしてもよい。
【００５９】
また、図４における通し番号「Ｎｏ．３」に関連付けられた対象文字情報Ａに含まれる「てんき」という文字は、対象コンテンツ情報Ｃに示されるように「天気予報情報（今日の天気）（明日の天気）（明後日の天気））」という特定の情報が予め設定されているが、このように、変換の対象となる文字に対する特定の情報が複数ある場合で、かつ、それぞれの特定の情報が「今日」「明日」「明後日」というような時期的要素で区分できるような時間情報を有する場合には、携帯電話機１の制御部１７は、携帯電話機１の使用者が、操作部７の操作により「てんき」という文字を入力すると共に、その「てんき」という文字を別の漢字、カタカナ、図形又は記号等に変換しようとする際、その「てんき」という文字が入力された時点に近い時間情報を有する特定の情報に基づいて得られるを優先的にその表示部５に表示させるようにしてもよい（複数の変換候補の先頭になるように表示させる、その変換候補以外の変換候補は表示しない等）。この場合、「てんき」という文字が入力されるのは、常に「今日」であるため、「天気予報情報（今日の天気）」が、「天気予報情報（明日の天気）」および「天気予報情報（明後日の天気）」よりも、優先的に表示部５に表示されることとなる。
【００６０】
また、このように変換の対象となる文字に対する変換候補が複数ある場合は、記憶部１０に予め定められた所定の優先順位の設定を記憶しておき、制御部１７が、その優先順位にしたがってそれら複数の変換候補を表示部５に表示するようにしてもよい。例えば、変換頻度が高い順や、変換候補や変換日時が現時点に近い順に、それら複数の変換候補が表示部５に表示されるようにすればよい。
【００６１】
また、本実施形態では、本発明の一例として携帯電話機１を示したが、本発明はこれに限定されることなく、例えば、通信機能（有線、無線を問わない）を有するＰＤＡやノートパソコン、その他コンテンツの受信用（送信機能なし）の携帯電話機やポケットベルや等、電子クーポンの通信を行うことができるその他の通信機器にも適用可能である。
【図面の簡単な説明】
【００６２】
【図１】携帯電話機１の外観斜視図である。
【図２】携帯電話機１のブロック図である。
【図３】コンテンツの一例を示す図である。
【図４】変換候補データベースの一例を示す図である。
【図５】入力された文字の変換候補を表示する際の処理フローを示す図である。
【符号の説明】
【００６３】
１…携帯電話機（通信機器）、２…第１筐体、３…第２筐体、４…ヒンジ部、５…表示部、６…受話用スピーカ、７…操作部、８…送話用マイク、９…報知用スピーカ、１０…記憶部、１１…アンテナ、１２…通信部、１３…近距離通信用アンテナ、１４…近距離通信部、１５…バッテリ、１６…外部電源、１７…制御部
【図１】
2008211481.tif 000003
【図２】
2008211481.tif 000004
【図３】
2008211481.tif 000005
【図４】
2008211481.tif 000006
【図５】
2008211481.tif 000007